(57)【要約】【課題】ソフトな着心地が得られ、かつ着用時にウェスト部やその近傍に皺が入り難くきれいなラインも期待できる下衣を提供する。【解決手段】下衣１は、着用者の腰部に沿うウェスト部２と、ウェスト部２の下端から下方に延びる身頃本体部３とを備え、ウェスト部２は、該ウェスト部２の周方向への伸縮性が相対的に高い高伸縮部２ａと、該高伸縮部２ａと隣り合う位置に配置され上記周方向への伸縮性が高伸縮部２ａよりも低い低伸縮部２ｂとを含み、高伸縮部２ａと低伸縮部２ｂの少なくとも一方の上端部の上記周方向の長さを、下端部の上記周方向の長さよりも短くする。【選択図】図１
2007332480.tif 000002
【特許請求の範囲】
【請求項１】
着用者の腰部に沿うウェスト部（２）と、
前記ウェスト部（２）の下端から下方に延びる身頃本体部（３）とを備え、
前記ウェスト部（２）は、該ウェスト部（２）の周方向への伸縮性が相対的に高い高伸縮部（２ａ）と、該高伸縮部（２ａ）と隣り合う位置に配置され前記周方向への伸縮性が前記高伸縮部（２ａ）よりも低い低伸縮部（２ｂ）とを含み、
前記高伸縮部（２ａ）と前記低伸縮部（２ｂ）の少なくとも一方の上端部の前記周方向の長さを、下端部の前記周方向の長さよりも短くした、下衣。
【請求項２】
前記高伸縮部（２ａ）は、前記ウェスト部（２）の外周側に位置する外周部（２０ａ）から前記上端部を経て前記ウェスト部（２）の内周側に位置する内周部（２０ｂ）へと連続して延びる外側伸縮部（２０）を含む、請求項１に記載の下衣。
【請求項３】
前記外側伸縮部（２０）の前記外周部（２０ａ）と前記内周部（２０ｂ）との間に、前記外側伸縮部（２０）の上端部近傍から下端部近傍に達する内側伸縮部（２１）を配設した、請求項２に記載の下衣。
【請求項４】
着用者の腰部に沿うウェスト部（２）と、
前記ウェスト部（２）の下端から下方に延びる身頃本体部（３）とを備え、
前記ウェスト部（２）は、該ウェスト部（２）の周方向への伸縮性が相対的に高い高伸縮部（２ａ）と、該高伸縮部（２ａ）と隣り合う位置に配置され前記周方向への伸縮性が前記高伸縮部（２ａ）よりも低い低伸縮部（２ｂ）とを含み、
前記ウェスト部（２）の上端部の前記周方向の長さを、下端部の前記周方向の長さよりも短くした、下衣。
【発明の詳細な説明】
【技術分野】
【０００１】
本発明はパンツ、スラックス、スカート、ズボン等の下衣に関し、特に下衣のウェスト部の構造に関する。
【背景技術】
【０００２】
従来から、パンツ等の下衣のウェスト部の構造としては様々なものがある。たとえば、実用新案登録第３０９７７７０号公報には、腰から少なくとも股下までを含むアンダーパンツ部と、着用者の腰骨より上方に密着して着用時のずれを防止する係止部とを有するパンツであって、アンダーパンツ部の上縁に係止部の下縁が縫着されており、係止部の伸縮性は上下方向に高い伸縮性を持たせつつ、それと直交する横方向への伸縮性を抑えていることを特徴とするパンツが記載されている。
【特許文献１】実用新案登録第３０９７７７０号公報
【発明の開示】
【発明が解決しようとする課題】
【０００３】
しかしながら、実用新案登録第３０９７７７０号公報に記載のパンツでは、縦方向に高い伸縮性を有し横方向の伸縮性を抑えた縦伸縮部１１を有しているので、ウェスト部の横方向の伸びが不十分となり、ソフトな着心地が得られないという問題がある。
【０００４】
また、縦伸縮部１１が単純な長方形形状を有しており、その上端と下端の長さが等しいので、アンダーパンツ部３の上縁に皺が入り易く、装着時にきれいなラインがでないという問題もある。
【０００５】
そこで、本発明は、ソフトな着心地が得られ、かつ着用時にウェスト部やその近傍に皺が入り難くきれいなラインも期待できる下衣を提供することにある。
【課題を解決するための手段】
【０００６】
本発明に係る下衣は、１つの局面では、着用者の腰部に沿うウェスト部と、ウェスト部の下端から下方に延びる身頃本体部とを備え、ウェスト部は、該ウェスト部の周方向への伸縮性が相対的に高い高伸縮部と、該高伸縮部と隣り合う位置に配置され上記周方向への伸縮性が高伸縮部よりも低い低伸縮部とを含み、高伸縮部と低伸縮部の少なくとも一方の上端部の上記周方向の長さを、下端部の上記周方向の長さよりも短くする。ここで、高伸縮部とは、本願明細書では、低伸縮部と比較して伸縮性が高い部分であり、低伸縮部とは、高伸縮部と比較して伸縮性が低い部分をいうが、当該低伸縮部には伸縮性が極めて低いものやほとんど伸縮性を有しないといえるものも含まれる。
【０００７】
上記高伸縮部は、ウェスト部の外周側に位置する外周部から上端部を経てウェスト部の内周側に位置する内周部へと連続して延びる外側伸縮部を含むものであってもよい。また、上記外側伸縮部の外周部と内周部との間に、外側伸縮部の上端部近傍から下端部近傍に達する内側伸縮部を配設してもよい。
【０００８】
本発明に係る下衣は、他の局面では、着用者の腰部に沿うウェスト部と、ウェスト部の下端から下方に延びる身頃本体部とを備え、ウェスト部は、該ウェスト部の周方向への伸縮性が相対的に高い高伸縮部と、該高伸縮部と隣り合う位置に配置され上記周方向への伸縮性が高伸縮部よりも低い低伸縮部とを含み、ウェスト部の上端部の上記周方向の長さを、下端部の上記周方向の長さよりも短くする。
【発明の効果】
【０００９】
本発明の１つの局面の下衣では、高伸縮部と低伸縮部の少なくとも一方の上端部の上記周方向の長さを、下端部の上記周方向の長さよりも短くしているので、ウェスト部を着用者の腰部に沿わせることができ、着用時にソフトな着心地が得られ、また着用時にウェスト部やその近傍に皺が入り難くきれいなラインも得られる。
【００１０】
本発明の他の局面の下衣では、ウェスト部の上端部の上記周方向の長さを、下端部の上記周方向の長さよりも短くしているので、やはりウェスト部を着用者の腰部に沿わせることができ、着用時にソフトな着心地が得られ、また着用時にウェスト部やその近傍に皺が入り難くきれいなラインも得られる。
【発明を実施するための最良の形態】
【００１１】
以下、図１〜図１８を用いて、本発明の実施の形態について説明する。図１は、本発明の１つの実施の形態における下衣１の一部を示す正面図である。
【００１２】
図１に示すように、下衣１は、着用者の腰部に沿うウェスト部２と、ウェスト部２の下端から下方に延びる身頃本体部３とを備える。
【００１３】
ウェスト部２は、高伸縮部２ａと、低伸縮部２ｂと、ウェスト部正面部材２ｃと、ボタン４と、ボタン穴５とを有する。高伸縮部２ａは、ウェスト部２の周方向への伸縮性が低伸縮部２ｂよりも高い部分である。低伸縮部２ｂは、高伸縮部２ａと隣り合う位置に配置され上記周方向への伸縮性が高伸縮部２ａよりも低い部分である。ウェスト部正面部材２ｃは、ウェスト部２の両端部を構成する部材である。図１の例では、係止具としてボタン４とボタン穴５とを用い、ウェスト部正面部材２ｃの一方に２つのボタン４を上下に取付け、ウェスト部正面部材２ｃの他方に２つのボタン穴５を上下に設けている。なお、係止具としては周知のものを使用可能である。
【００１４】
図５（ａ），（ｂ）に、理想的なウェスト部２の全体構造を模式的に示す。なお、図５（ｂ）には、ウェスト部２の展開図を示している。
【００１５】
本実施の形態では、ウェスト部２の周方向における下端部の長さＬｂを、ウェスト部２の周方向における上端部の長さＬａよりも長くする。理想的には、ウェスト部２は、図５（ａ）に示すように、円錐の外周部に沿うような形状、つまり上端部に向かうにつれて直径が徐々に小さくなるような環状の形状を有する。
【００１６】
ウェスト部２の周方向の長さ（Ｌａ，Ｌｂ）は、着用者のウエストサイズに合わせて適宜変化させればよい。ウェスト部２の縦方向の幅Ｌｃは、たとえば４ｃｍ〜７ｃｍ程度であり、好ましくは５ｃｍ〜６ｃｍ程度である。また、ウェスト部２の周方向における下端部の長さＬｂと、ウェスト部２の周方向における上端部の長さＬａとの差は、３ｃｍ〜２０ｃｍ程度とすることができる。この長さＬｂと長さＬａとの差を適切に調整することにより、ウェスト部２の着用感を調整することができる。また、ウェスト部２における高伸縮部２ａや低伸縮部２ｂの比率や、高伸縮部２ａおよび低伸縮部２ｂの伸縮度（伸長率）等を調整することによっても、ウェスト部２の着用感を調整することができる。
【００１７】
図２（ａ）に、図１のＩＩ−ＩＩ線に沿う断面図を示す。図２（ａ）に示すように、高伸縮部２ａは、２重構造を有し、伸縮性素材で構成される。図２（ａ）の例では、高伸縮部２ａは、外側伸縮部（ゴム部）２０と内側伸縮部（ゴム部）２１とを有する。なお、図２（ｂ）に示すように、内側伸縮部２１を省略することも可能である。
【００１８】
外側伸縮部２０は、ウェスト部２の外周側に位置する外周部２０ａから上端部を経てウェスト部２の内周側に位置する内周部２０ｂへと連続して延びるゴム編素材等の伸縮性素材により構成される。つまり、外側伸縮部２０の上端部には縫合せ部が存在せず、外側伸縮部２０は、その上端部で折り返された状態となっている。外側伸縮部２０の下端部は、縫着部分６を介して身頃本体部３に縫着される。
【００１９】
内側伸縮部２１は、外側伸縮部２０の外周部２０ａと内周部２０ｂとの間に配置され、平板状の織ゴムのような弾性部材で構成することができる。この内側伸縮部２１は、外側伸縮部２０を補強する補強部材としても機能し、典型的には外側伸縮部２０の上端部近傍から下端部近傍に達するように設けられる。内側伸縮部２１の上下方向の幅は、外側伸縮部２０の上下方向の幅に対して、８５％〜１００％程度が好ましい。この内側伸縮部２１を設けることにより、外側伸縮部２０が上下方向に容易に折れ曲がること（縦折れ）を抑制することができる。
【００２０】
ここで、外側伸縮部２０や内側伸縮部２１として使用可能な素材について詳述する。
外側伸縮部２０としては、たとえば編物や織物を採用可能である。編物であれば、リブ（フライス）組織、またはリブ（フライス）組織の変化組織が最も望ましい。また、ポリウレタン糸、ストレッチポリエステル糸、ゴム糸等の伸縮性の高い糸と交編して、緯方向のストレッチ性を高めた生地であれば、編組織はどのようなものでもよい。織物の場合も、ポリウレタン糸、ストレッチポリエステル糸、ゴム糸等伸縮性の高い糸と交織して、緯方向のストレッチ性を高めた生地であれば、織組織はどのようなものでもよい。編物、織物のいずれも、ポリエステル、ナイロン、アクリル等の合成繊維、綿、レーヨン、麻等のセルロース系繊維、ウール、シルク等の動物性繊維を糸単体、またはそれら２，３種の組合せで構成してもよい。さらに、それらの単体、２，３種の組合せが主体となって、ポリウレタン糸、ストレッチポリエステル糸、ゴム糸等の伸縮性の高い糸を一部に交編、交織して構成してもよい。
【００２１】
ウェスト部２の周方向（長さ方向）における外側伸縮部２０の長さについては、外側伸縮部２０の上端部の長さを、下端部の上記周方向の長さ以下とする。外側伸縮部２０（高伸縮部２ａ）の上端部と下端部の長さを等しくした場合には、低伸縮部２ｂの上端部の長さを下端部の長さよりも小さくし、外側伸縮部２０（高伸縮部２ａ）の上端部を下端部の長さ以下とした場合には、低伸縮部２ｂの上端部の長さを下端部の長さ以下とすればよい。それにより、たとえば図５（ａ），（ｂ）に示すように、ウェスト部２の下端部の長さＬｂを、ウェスト部２の上端部の長さＬａよりも長くすることができる。その結果、着用時にウェスト部やその近傍に皺が入り難くきれいなラインを確保しながらソフトな着心地が得られる。なお、外側伸縮部２０の上端部と下端部の長さは、縫代を考慮すると１ｃｍ程度は必要である。
【００２２】
ウェスト部２の縦方向（上下方向）における外側伸縮部２０の幅（図５におけるＬｃ）は、たとえば４ｃｍ〜７ｃｍ程度である。好ましくは、外側伸縮部２０の幅は、５ｃｍ〜６ｃｍ程度である。
【００２３】
ウェスト部２の周方向における外側伸縮部２０の伸縮性は、単層の場合、平均値で１．２Ｎ（好ましくは、０．５Ｎ〜１．８Ｎ）程度であり、折返して二層とした場合には、平均値で２．３Ｎ（好ましくは、１．０Ｎ〜３．５Ｎ）程度であり、折返して二層としてその間に内側伸縮部２１を配置した場合には、平均値で７．３Ｎ（好ましくは、３．５Ｎ〜１１Ｎ）程度である。なお、これらの各値は、内側伸縮部２１を外側伸縮部２０間に配置する場合を前提としたものであるが、内側伸縮部２１を省略する場合には、外側伸縮部２０を折返して二層とした場合の伸縮性を、平均値で７．３Ｎ（好ましくは、３．５Ｎ〜１１Ｎ）程度とすればよい。この程度の伸びを確保することにより、着用時にソフトな着心地が得られ易くなる。ウェスト部２の縦方向（上下方向）における外側伸縮部２０の伸縮性については、大きくても、小さくても、ほとんどなくてもよいが、縦方向の伸びが多少あった方が、ソフトな着用感に繋がる。
【００２４】
ここで、外側伸縮部２０の伸縮性の測定方法について図１８を用いて説明する。なお、内側伸縮部２１の伸縮性の測定方法も同様である。
【００２５】
まず、伸縮部の伸縮性（強さ）を、３０％伸長時の荷重（応力）で定義する。試験機としては、ＴＥＮＳＩＬＯＮ型万能引張試験機ＵＴＭ−III−２００（東洋ボールドウイン社製）を用いる。試験片は、編織物生地のようにカットが可能なものは幅５ｃｍ×長さ３０ｃｍに緯方向が長さ方向になるように調製する。織ゴム素材のように、カットするとほつれてしまうようなものは、製品として使用する幅そのままとし、長さ３０ｃｍで長さ方向に伸縮するように調整する。チャックのつかみ間隔は２０ｃｍに調整し、試験片をセットして２０ｃｍ/分の速度で、伸長率３０％になるように２６ｃｍの長さに伸長し、そのときの荷重を計測する。なお、試験片の幅が、５ｃｍ以上あるいはそれ以下のものについては、試験片幅と荷重が近似的に比例するとして、５ｃｍ幅に換算する。
【００２６】
図１８に示すように、一層の外側伸縮部２０や内側伸縮部２１について伸縮性の測定を行なう場合、矢印の方向に外側伸縮部２０や内側伸縮部２１を引張って伸長し、そのときの荷重を計測する。外側伸縮部２０を折返して二層とし、その間に内側伸縮部２１を配置した場合や、外側伸縮部２０を折返して二層とし、その間に内側伸縮部２１を配置しない場合も、同様に、図１８に示すように、矢印の方向に外側伸縮部２０や内側伸縮部２１を引張って伸長し、そのときの荷重を計測する。
【００２７】
内側伸縮部２１としては、ウェスト部２の周方向（長さ方向）に伸縮性のあるものが好ましい。具体的には、内側伸縮部２１として織ゴムなどを使用することができる。織ゴムとしては、たとえば長さ方向にポリウレタン糸等の伸縮性の高い糸にポリエステル、ナイロン等をカバーしたカバーリングヤーンを複数本配し、幅方向（ウェスト部２の上下方向）にナイロン、ポリエステルのモノフィラメント糸を長さ方向よりも高密度に配し、長さ方向のカバーリングヤーンが幅方向に動かないように（保持されるように）織込んだものを使用可能である。長さ方向の伸縮糸の保持効果をさらに高めるために、幅方向にナイロンの熱融着糸を使用し、ゴム織成後に熱をかけ、経緯糸の交点で接着することも可能である。内側伸縮部２１の幅は、パンツ等の下衣のデザインによって変わるが、縫着後の外側伸縮部２０の幅よりも５ｍｍ程度小さい幅が望ましい。
【００２８】
ウェスト部２の周方向（長さ方向）における内側伸縮部２１の長さは、必要なフィット感や外側伸縮部２０の伸長率（緊締力）の大きさによって異なり、外側伸縮部２０の内側に収まる範囲内で設定する。上記周方向における内側伸縮部２１の上端部の長さは、典型的には外側伸縮部２０の上端部の長さと同じ長さとすればよい。
【００２９】
ウェスト部２の縦方向（上下方向）における内側伸縮部２１の幅は、外側伸縮部２０の内側に収まる範囲内の値とする。なお、外側伸縮部２０の上下端近傍に至る幅を有することで、外側伸縮部２０の縦折れを効果的に抑制することができる。
【００３０】
ウェスト部２の周方向における内側伸縮部２１の伸縮性は、平均値で４．７Ｎ（好ましくは、２．３Ｎ〜７．０Ｎ）程度である。この程度の伸びを確保することにより、着用時にソフトな着心地を確保することができる。ウェスト部２の縦方向（上下方向）における内側伸縮部２１の伸縮性については、大きくても、小さくても、ほとんどなくてもよいが、縦方向の伸びが多少あった方が、ソフトな着用感に繋がるものと考えられる。
【００３１】
図３に、図１のＩＩＩ−ＩＩＩ線に沿う断面図、つまり低伸縮部２ｂの断面構造例を示す。
【００３２】
低伸縮部２ｂとしては、高伸縮部２ａよりも伸縮性の低い伸縮性素材や、従来から存在するあらゆる生地を使用可能である。具体的には、織物、編物、不織布等を使用可能である。また、低伸縮部２ｂは、身頃部本体３と同じ素材で構成してもよく、異なる素材で構成してもよい。この低伸縮部２ｂは、上述の高伸縮部２ａ間に配置された場合には、高伸縮部２ａ間を接続する接続部として機能する。
【００３３】
図３の例では、低伸縮部２ｂは、芯地２２と外層布部２３との二層構造を有し、縫着部６を介して身頃本体部３に縫着されるが、低伸縮部２ｂを単層構造としてもよい。芯地２２と外層布部２３は、ウェスト部２の外周側に位置する外周部から上端部を経てウェスト部２の内周側に位置する内周部へと連続して延びる生地により構成される。つまり、低伸縮部２ｂの上端部にも縫合せ部が存在せず、低伸縮部２ｂは、その上端部で折り返された状態となっている。低伸縮部２ｂの下端部は、縫着部分６を介して身頃本体部３に縫着される。
【００３４】
ウェスト部２の周方向（長さ方向）における低伸縮部２ｂの長さについても、低伸縮部２ｂの上端部の上記周方向の長さを、下端部の上記周方向の長さ以下とする。低伸縮部２ｂの上端部と下端部の長さを等しくした場合には、高伸縮部２ａの上端部の長さを下端部の長さよりも小さくし、低伸縮部２ｂの上端部を下端部の長さより短くした場合には、高伸縮部２ａの上端部の長さを下端部の長さ以下とすればよい。それにより、図５（ａ），（ｂ）に示すように、ウェスト部２の下端部の長さＬｂを、ウェスト部２の上端部の長さＬａよりも長くすることができ、着用時にウェスト部やその近傍に皺が入り難くきれいなラインを確保しながらソフトな着心地が得られる。なお、低伸縮部２ｂの場合も、上端部と下端部の長さは、いずれも縫代を考慮すると１ｃｍ程度は必要である。
【００３５】
ウェスト部２の縦方向（上下方向）における低伸縮部２ｂの幅は、たとえば４ｃｍ〜７ｃｍ程度である。好ましくは、低伸縮部２ｂの幅は、５ｃｍ〜６ｃｍ程度である。
【００３６】
図４に、上述の高伸縮部２ａと低伸縮部２ｂとの接続部の構造を示す。図４に示すように、高伸縮部２ａと低伸縮部２ｂとは、典型的には、縫着部７を介して縫着する。高伸縮部２ａと低伸縮部２ｂとの縫合せ部分には、たとえば５ｍｍ〜１０ｍｍ程度の縫代を設ければよい。
【００３７】
図４に示す例では、高伸縮部２ａと低伸縮部２ｂとの縫合せ部分において低伸縮部２ｂを外側に配置した状態で高伸縮部２ａと低伸縮部２ｂとを縫着している。また、低伸縮部２ｂの上端部の長さが下端部の長さよりも短いので、低伸縮部２ｂは略台形の形状を有している。したがって、低伸縮部２ｂの上端部あるいは下端部に対し、縫着部７は斜め方向に形成されることとなる。
【００３８】
次に、図６〜図１６を用いて、ウェスト部２の構造についてさらに詳しく説明する。図６（ａ），（ｂ）には、図１に示すタイプのウェスト部２を示し、図７〜図１６に、ウェスト部２の構造の変形例を示す。
【００３９】
図６（ａ），（ｂ）に示すように、上述のウェスト部２は、４つの高伸縮部２ａと、この高伸縮部２ａ間に３つの低伸縮部２ｂとを備える。また、ウェスト部２の周方向における各高伸縮部２ａの上端部の長さは下端部の長さと等しく、ウェスト部２の周方向における各低伸縮部２ｂの上端部の長さを下端部の長さよりも短くしている。また、各高伸縮部２ａの長さを、低伸縮部２ｂの長さよりも長くしている。
【００４０】
下衣１の着用時には、ウェスト部２に対し、その周方向に図６（ａ），（ｂ）に示すような力Ｆが作用する場合がある。つまり、ウェスト部２の長手方向に力Ｆが作用する場合がある。このような力Ｆが作用すると、主に高伸縮部２ａがウェスト部２の周方向に伸びることとなるが、ウェスト部２が伸張してたとえば図６（ｂ）に示すように矩形状態となったものと仮定すると、高伸縮部２ａの上端部が下端部よりも多く伸び、高伸縮部２ａの上端部の長さＡが下端部の長さＢよりも長くなる。したがって、高伸縮部２ａの上端部による締付力が下端部による締付力よりも大きくなる。また、低伸縮部２ｂの長さを、その上端部から下端部にわたって徐々に長くすることにより、高伸縮部２ａによる締付力を、高伸縮部２ａの上端部から下端部にわたって徐々に減少させることができる。
【００４１】
一般に、着用者のウェスト（腸骨稜から一番下の肋骨までの間で最も細い部分）の周方向の長さは、ウェストよりも下方に位置する下腹部の周方向の長さよりも短いので、高伸縮部２ａの上端部を着用者のウェスト部に位置合せして下衣を着用することで、着用者の下腹部に適度な締付力を付与することができ、ソフトな着心地とフィット感を実現することができる。
【００４２】
次に、図７〜図１６を用いて、ウェスト部２の構造の変形例について説明する。
図７に示すように、低伸縮部２ｂの両側に１組の高伸縮部２ａを配置し、この高伸縮部２ａによりウェスト部正面部材２ｃと低伸縮部２ｂとを接続するようにしてもよい。本例では、低伸縮部２ｂの上端部の長さＬ１を下端部の長さＬ２よりも短くし、高伸縮部２ａの上端部の長さＬ３を下端部の長さＬ４と等しくしている。
【００４３】
他方、図１３に示すように、高伸縮部２ａの両側に１組の低伸縮部２ｂを配置し、この低伸縮部２ｂによりウェスト部正面部材２ｃと高伸縮部２ａとを接続してもよい。本例では、低伸縮部２ｂの上端部の長さＬ１を下端部の長さＬ２と等しくし、高伸縮部２ａの上端部の長さＬ３を下端部の長さＬ４よりも短くしている。
【００４４】
図８に示すように、３つの高伸縮部２ａを設け、その間に２つの低伸縮部２ｂを配置してもよい。この場合、両端の高伸縮部２ａによりウェスト部正面部材２ｃと低伸縮部２ｂとを接続する。本例では、低伸縮部２ｂの上端部の長さＬ１を下端部の長さＬ２よりも短くし、高伸縮部２ａの上端部の長さＬ３を下端部の長さＬ４と等しくしている。
【００４５】
図９に示すように、４つの高伸縮部２ａを設け、その間に３つの低伸縮部２ｂを配置してもよい。本例においても、両端の高伸縮部２ａによりウェスト部正面部材２ｃと低伸縮部２ｂとを接続する。また、低伸縮部２ｂの上端部の長さＬ１を下端部の長さＬ２よりも短くし、内側（中央部側）に位置する１組の高伸縮部２ａの上端部の長さＬ３を下端部の長さＬ４よりも短くし、外側（両端部側）に位置する１組の高伸縮部２ａの上端部の長さＬ５を下端部の長さＬ６と等しくしている。また、外側に位置する１組の高伸縮部２ａの長さを、内側に位置する１組の高伸縮部２ａの長さよりも長くする。
【００４６】
他方、図１４に示すように、図９に示すタイプのウェスト部２において、低伸縮部として伸縮性部材２ａ１を使用してもよい。ただし、伸縮性部材２ａ１の伸縮性は、高伸縮部２ａの伸縮性よりも低くする。なお、伸縮性部材２ａ１の断面構造は、たとえば図２（ａ），（ｂ）に示す場合と同様でよい。
【００４７】
図１０の場合も、図９の場合と同様に、４つの高伸縮部２ａを設け、その間に３つの低伸縮部２ｂを配置し、両端の高伸縮部２ａによりウェスト部正面部材２ｃと低伸縮部２ｂとを接続している。
【００４８】
本例の場合、低伸縮部２ｂの上端部の長さＬ１を下端部の長さＬ２よりも短くし、内側（中央部側）に位置する１組の高伸縮部２ａの上端部の長さＬ３と下端部の長さＬ４、外側（両端部側）に位置する１組の高伸縮部２ａの上端部の長さＬ５と下端部の長さＬ６を共に等しくする。また、外側に位置する１組の高伸縮部２ａの長さを、内側に位置する１組の高伸縮部２ａの長さよりも長くする。
【００４９】
図１１の場合も、図９の場合と同様に、４つの高伸縮部２ａを設け、その間に３つの低伸縮部２ｂを配置し、両端の高伸縮部２ａによりウェスト部正面部材２ｃと低伸縮部２ｂとを接続している。
【００５０】
本例の場合、低伸縮部２ｂの上端部の長さＬ１を下端部の長さＬ２と等しくし、内側（中央部側）に位置する１組の高伸縮部２ａの上端部の長さＬ３を下端部の長さＬ４よりも短くし、外側（両端部側）に位置する１組の高伸縮部２ａの上端部の長さＬ５を下端部の長さＬ６よりも短くする。また、外側に位置する１組の高伸縮部２ａの長さを、内側に位置する１組の高伸縮部２ａの長さよりも長くする。
【００５１】
他方、図１５の例では、低伸縮部２ｂの上端部の長さＬ１，Ｌ１’をそれぞれ下端部の長さＬ２，Ｌ２’よりも短くし、高伸縮部２ａの上端部の長さＬ３，Ｌ５を下端部の長さＬ４，Ｌ６よりも短くする。また、外側（両端部側）に位置する１組の高伸縮部２ａの長さを、内側（中央部側）に位置する１組の高伸縮部２ａの長さよりも長くし、外側に位置する１組の低伸縮部２ｂの長さを、中央に位置する低伸縮部２ｂの長さよりも長くする。
【００５２】
図１２の場合も、図９の場合と同様に、４つの高伸縮部２ａを設け、その間に３つの低伸縮部２ｂを配置し、両端の高伸縮部２ａによりウェスト部正面部材２ｃと低伸縮部２ｂとを接続している。
【００５３】
本例の場合、低伸縮部２ｂの上端部の長さＬ１を下端部の長さＬ２よりも短くし、内側（中央部側）に位置する１組の高伸縮部２ａの上端部の長さＬ３を下端部の長さＬ４よりも短くし、外側（両端部側）に位置する１組の高伸縮部２ａの上端部の長さＬ５を下端部の長さＬ６よりも短くする。また、外側に位置する１組の高伸縮部２ａの長さを、内側に位置する１組の高伸縮部２ａの長さよりも長くし、外側に位置する１組の低伸縮部２ｂの長さを、中央に位置する低伸縮部２ｂの長さと等しくする。
【００５４】
他方、図１６に示すように、４つの低伸縮部２ｂを設け、その間に３つの高伸縮部２ａを配置し、両端の低伸縮部２ｂによりウェスト部正面部材２ｃと高伸縮部２ａとを接続してもよい。この場合、低伸縮部２ｂの上端部の長さＬ１を下端部の長さＬ２よりも短くし、高伸縮部２ａの上端部の長さＬ３を下端部の長さＬ４よりも短くする。
【００５５】
上記以外にも様々な変形例を採用可能である。たとえば、高伸縮部２ａと低伸縮部２ｂの数は任意に選択可能である。しかし、高伸縮部２ａと低伸縮部２ｂの少なくとも一方は複数であることが望ましい。また、高伸縮部２ａと低伸縮部２ｂは同じ形状（相似形状）であっても異なる形状であってもよい。さらに、高伸縮部２ａと低伸縮部２ｂの数を多めに設定した方がウェスト部２を周方向に緩やかに湾曲させることができ、ソフトなフィット感が得られるものと考えられる。また、ウェスト部２の周方向における高伸縮部２ａの長さを低伸縮部２ｂの長さよりも長くしたり、ウェスト部２における高伸縮部２ａの割合を低伸縮部２ｂの割合より高くすることも可能であり、この場合にはさらにソフトな着心地が得られる。
【００５６】
身頃本体部３は、伸縮性素材を用いて構成することもできるが、従来から存在するあらゆる生地を使用可能である。具体的には、織物、編物、不織布等を使用可能である。
【００５７】
次に、図１７を用いて、本発明の他の実施の形態について説明する。図１７に示すように、本実施の形態では、ウェスト部２にベルト通し８と腰紐９を設置けている。それ以外の構成は、上述の場合と同様である。
【００５８】
なお、上述の各実施の形態では、スラックス等のパンツに本発明を適用した場合について説明したが、スカートその他の下衣にも本発明を適用することができる。
【実施例】
【００５９】
以下、本発明の実施例について説明する。本実施例の下衣は、図１に示すタイプのものであり、ウェスト部２の構造は、図９に示すタイプの構造である。
【００６０】
ウェスト部２は、高伸縮部２ａと低伸縮部２ｂとウェスト部正面部材２ｃとを有し、高伸縮部２ａは図２（ａ）に示すように、外側伸縮部２０と内側伸縮部２１とを有する。ウェスト部２の上端部の長さ（Ｌａ）は７８ｃｍ、ウェスト部２の下端部の長さ（Ｌｂ）は９１ｃｍである。よって、長さ（Ｌａ）と長さ（Ｌｂ）との差は１３ｃｍである。また、ウェスト部２の幅（Ｌｃ）は５．５ｃｍである。
【００６１】
外側伸縮部２０としては、使用糸として、ポリエステル加工糸１６７dtexの単糸、ポリウレタン３３dtex／ポリエステルフィラメント糸７７dtexを組合わせたFTY糸を用い、１６Ｇの横編機で編んだ編地を使用する。ポリエステル加工糸を全コース、FTY糸を1つおきのコースに配したリブ組織で編成する。緯方向を７０ｃｍ、経方向を１３ｃｍに編成し、経方向の中央６．５ｃｍ付近の表側のコースの度目を経方向につめて、裏側のコースの度目を経方向に荒くすることで、表側を外に出すために折り曲げやすくなるように折り曲げ線を形成する。編地の目付けは４６０ｇ/ｍ２である。この編地を低伸縮部２ｂ間の長さに縫代（各縫製部分ごとに１ｃｍ）を含めた長さになるように経方向に裁断して、中央付近の折り曲げ線で緯方向に折り曲げて外側伸縮部２０とする。また、図９に示す長さＬ３は１３ｃｍ、長さＬ４は１５ｃｍ、長さＬ５，Ｌ６は１８ｃｍである。
【００６２】
内側伸縮部２１については、９２４dtexのポリウレタン糸に、３３dtexのナイロン糸をカバーリングしたカバーリングヤーン（これをゴム糸とよぶ）を長さ方向（ウエスト部２の周方向）に２２本、幅方向（ウエスト部２の上下方向）に１１０dtexのナイロンモノフィラメント糸を使用して、ゴム糸が約２〜２．５ｍｍ間隔になるように織成し、幅方向の両端部に１１０dtexのナイロンウーリー糸を配して経緯糸がほつれないようにして、全幅５ｃｍとなるようにする。内側伸縮部２１は、４箇所の外側伸縮部２０の内側に配置し、内側伸縮部２１の長さは、外側伸縮部２０の長さと等しくする。
【００６３】
低伸縮部２ｂは、図３に示すように、芯地２２と外層布部２３との二層構造を有する。芯地２２は、ポリエステル１００％から構成された織物で構成され、外層布部２３はキュプラ４９％、ナイロン３０％、麻２１％から構成された織物で構成される。低伸縮部２ｂの長さＬ１は３ｃｍ、長さＬ２は６ｃｍである。
【００６４】
ウェスト部正面部材２ｃは、身頃本体部３や外層布部２３と同様に、キュプラ４９％、ナイロン３０％、麻２１％から構成された織物で構成され、ウェスト部２の周方向の長さは７ｃｍである。身頃本体部３は、ウェスト部正面部材２ｃや外層布部２３と同様に、キュプラ４９％、ナイロン３０％、麻２１％から構成された織物で構成される。ウェスト部２の下端部における身頃本体部３の、ウェスト部２の周方向における長さは９２ｃｍであり、ウェスト部２の下端部の長さ（Ｌｂ）よりも１ｃｍ長くする。この状態で、身頃本体部３はウェスト部２に縫着される。上記以外は、周知の素材や手法を用いて、本実施例における下衣を作製することができる。
【００６５】
以上のように本発明の実施の形態および実施例について説明を行なったが、上述の実施の形態および実施例の構成を適宜組合わせることも当初から予定している。また、上述の実施の形態および実施例中の構成はすべてが必須というものでもなく、一部の構成を省略することも可能である。さらに、今回開示した実施の形態および実施例はすべての点での例示であって制限的なものではないと考えられるべきである。本発明の範囲は特許請求の範囲によって示され、特許請求の範囲と均等の意味および範囲内でのすべての変更が含まれる。
【図面の簡単な説明】
【００６６】
【図１】本発明の１つの実施の形態における下衣の一部を示す正面図である。
【図２】（ａ）は図１のＩＩ−ＩＩ線に沿う断面図であり、（ｂ）は（ａ）の変形例を示す断面図である。
【図３】図１のＩＩＩ−ＩＩＩ線に沿う断面図である。
【図４】図１に示す下衣の部分拡大図である。
【図５】（ａ）はウェスト部の模式図であり、（ｂ）はウェスト部の展開図である。
【図６】（ａ）はウェスト部を展開した状態の構造例を示す図であり、（ｂ）は（ａ）に示すウェスト部を伸張した状態を示す図である。
【図７】ウェスト部を展開した状態の他の構造例を示す図である。
【図８】ウェスト部を展開した状態のさらに他の構造例を示す図である。
【図９】ウェスト部を展開した状態のさらに他の構造例を示す図である。
【図１０】ウェスト部を展開した状態のさらに他の構造例を示す図である。
【図１１】ウェスト部を展開した状態のさらに他の構造例を示す図である。
【図１２】ウェスト部を展開した状態のさらに他の構造例を示す図である。
【図１３】ウェスト部を展開した状態のさらに他の構造例を示す図である。
【図１４】ウェスト部を展開した状態のさらに他の構造例を示す図である。
【図１５】ウェスト部を展開した状態のさらに他の構造例を示す図である。
【図１６】ウェスト部を展開した状態のさらに他の構造例を示す図である。
【図１７】本発明の他の実施の形態における下衣の一部を示す正面図である。
【図１８】伸縮部の伸縮性の測定方法を説明するための図である。
【符号の説明】
【００６７】
１  下衣、２  ウェスト部、２ａ  高伸縮部、２ａ１  伸縮性部材、２ｂ  低伸縮部、２ｃ  ウェスト部正面部材、３  身頃本体部、４  ボタン、５  ボタン穴、６，７  縫着部、８  ベルト通し、９  腰紐、２０  外側伸縮部、２０ａ  外周部、２０ｂ  内周部、２１  内側伸縮部、２２  芯地、２３  外層布部。
【図１】
2007332480.tif 000003
【図２】
2007332480.tif 000004
【図３】
2007332480.tif 000005
【図４】
2007332480.tif 000006
【図５】
2007332480.tif 000007
【図６】
2007332480.tif 000008
【図７】
2007332480.tif 000009
【図８】
2007332480.tif 000010
【図９】
2007332480.tif 000011
【図１０】
2007332480.tif 000012
【図１１】
2007332480.tif 000013
【図１２】
2007332480.tif 000014
【図１３】
2007332480.tif 000015
【図１４】
2007332480.tif 000016
【図１５】
2007332480.tif 000017
【図１６】
2007332480.tif 000018
【図１７】
2007332480.tif 000019
【図１８】
2007332480.tif 000020